(57)【特許請求の範囲】
【請求項１】
鏡を有する化粧台本体と、
前記化粧台本体に設けられ、前記鏡の前の使用者を照らす照明装置と、
前記化粧台本体に設けられ、前記使用者の顔を撮影するカメラと、
前記カメラで撮影した前記使用者の顔の表情や目の状態などの人体情報に基づいて前記使用者の覚醒度を判定する判定部と、
前記判定部で判定した前記覚醒度に応じて前記照明装置の照度および色温度の少なくとも一方を変更する制御部とを備えたことを特徴とする化粧台。
【請求項２】
前記制御部は、予め設定した朝の時間帯でのみ前記覚醒度に応じた変更制御を行うように設けられている請求項１記載の化粧台。
【請求項３】
前記化粧台本体は、前面に開閉式のミラー扉を有するミラーキャビネットであり、前記ミラー扉の鏡の一部にはハーフミラーが設けられているとともに、前記ミラーキャビネットの内部には前記カメラが前記ミラー扉の閉時に前記ハーフミラーを通して前記ミラー扉の前方を撮影可能に設けられている請求項１または２記載の化粧台。
【発明の詳細な説明】
【技術分野】
【０００１】
本発明は、洗面化粧台を含む化粧台に関する。
【背景技術】
【０００２】
一般に、洗面化粧台は、洗顔や手洗い、歯磨きなどの身支度を行うためのものであり、化粧台は、化粧を行うためのものである。このため、洗面化粧台または化粧台においては、例えば特許文献１に記載されているように、化粧鏡の上方部などに照明装置を設け、この照明装置により化粧鏡の前の使用者の顔などを一定の照度以上に照らすことが行われている。
【０００３】
一方、居室用の照明装置において、居室内にいる人間の覚醒度を高めたり、あるいは居室内の人間をリラックスさせたりするために、照明装置の照度または色温度を適宜変更することは知られている（特許文献２参照）。
【先行技術文献】
【特許文献】
【０００４】
【特許文献１】特開平３−２９７００４号公報
【特許文献２】特開平１１−１３５２７３号公報
【発明の概要】
【発明が解決しようとする課題】
【０００５】
本発明はかかる諸点に鑑みてなされたものであり、その課題は、特に、従来の居室用照明装置の技術を化粧台の照明装置に適切に導入することにより、化粧台を使用する使用者の覚醒度を効果的に高め得る化粧台を提供することにある。
【課題を解決するための手段】
【０００６】
前記の課題を解決するため、本発明は、化粧台として、鏡を有する化粧台本体と、前記化粧台本体に設けられ、前記鏡の前の使用者を照らす照明装置と、前記化粧台本体に設けられ、前記使用者の顔を撮影するカメラと、前記カメラで撮影した前記使用者の顔の表情や目の状態などの人体情報に基づいて前記使用者の覚醒度を判定する判定部と、前記判定部で判定した前記覚醒度に応じて前記照明装置の照度および色温度の少なくとも一方を変更する制御部とを備える構成にする。
【発明の効果】
【０００７】
本発明の化粧台によれば、カメラで撮影した鏡の前の使用者の人体情報に基づいて使用者の覚醒度を判定し、それに応じて照明装置の照度および色温度の少なくとも一方を変更する。このため、過度の覚醒作用により使用者に不快感を与えることなく、使用者の覚醒度を効果的に高めることができる。
【図面の簡単な説明】
【０００８】
【図１】図１は本発明の第１の実施形態に係る洗面化粧台の斜視図である。
【図２】図２は同じく側面図である。
【図３】図３は前記洗面化粧台の制御系の構成を示すブロック構成図である。
【図４】図４は前記制御系のコントローラの制御内容を示すフローチャートである。
【図５】図５は前記フローチャート中の覚醒照明サブルーチンを示すフローチャートである。
【図６】図６はＣＣＤカメラの撮影画像を示す図である。
【図７】図７は平均閉眼時間と覚醒度との関係を示す特性図である。
【図８】図８は覚醒度と照度との関係を示す特性図である。
【図９】図９は平均閉眼時間と照度との関係を示す特性図である。
【図１０】図１０は本発明の第２の実施形態を示す図１相当図である。
【発明を実施するための形態】
【０００９】
以下、本発明を実施するための形態である実施形態を図面に基づいて説明する。
【００１０】
図１および図２は本発明の第１の実施形態に係る化粧台としての洗面化粧台１の全体構成を示す。洗面化粧台１は、背面側を室内の壁面（図示せず）に接触または近接した床面上に設置された下部キャビネット２と、下部キャビネット２の上方に壁面に固定して配設されたミラーキャビネット３とを備えている。
【００１１】
下部キャビネット２の上面は、合成樹脂や陶器などからなる天板４により構成されており、天板４の中央部には、洗面ボウル部４ａが下方に凹んで設けられているとともに、洗面ボウル部４ａに向けて吐水する吐水部５が設けられている。天板４の後縁には上方に向けて突出する立ち上がり壁６が一体成形されており、立ち上がり壁６により、壁面の下部キャビネット２とミラーキャビネット３との間の部分を覆うようになっている。立ち上がり壁６には、後述する照明装置１７，１８の操作ボックス７が取り付けられている。
【００１２】
下部キャビネット２の前方開口部には両開きタイプの前扉８，８が開閉自在に設けられている。下部キャビネット２の奥行き寸法は、ミラーキャビネット３のそれの数倍程度の大きさに設定されている。下部キャビネット２の内部空間は、洗面ボウル部４ａに接続される排水管（図示せず）の配置スペースを除き、収納スペースとして利用できるようになっている。
【００１３】
ミラーキャビネット３は、前方に開口するキャビネット本体１１と、キャビネット本体１１の前方開口部に取り付けられた３つのミラー扉１２，１３，１４とを有している。キャビネット本体１１は、収納空間を形成する上壁部、下壁部、左右の側壁部および背面部（いずれも図示せず）と、収納空間を仕切る２つの縦仕切り部１５，１６とが合成樹脂により一体成形されている。キャビネット本体１１の上壁部の厚み寸法は、下壁部および側壁部のそれらよりも大きく設定されており、この上壁部の前端面にはその略全面に亘る横長矩形状の照明装置としての上部ランプ１７が設けられている。また、各縦仕切り部１５，１６の前端面にはそれぞれ縦方向に細長い帯状の照明装置としてのサイドランプ１８が設けられている。
【００１４】
前記３つのミラー扉１２〜１４のうち、キャビネット本体１１の中央部に取り付けられたミラー扉１２は、他のミラー扉１３，１４よりも大きい主ミラー扉であって、左側の縦仕切り部１５にヒンジ（図示せず）を介して開閉自在に取り付けられている。キャビネット本体１１の左右両側部に取り付けられたミラー扉１３，１４は、サイドミラー扉であって、それぞれ対応する縦仕切り部１５，１６にヒンジ（図示せず）を介して開閉自在に取り付けられている。３つのミラー扉１２〜１４は、全てが閉じた状態で１枚の大きな鏡として利用できるとともに、主ミラー扉１２が閉じた状態でかつ各サイドミラー扉１３，１４が所定角度開いた状態で三面鏡として利用できるようになっている。各ミラー扉１２〜１４は、図示していないが、鏡と、鏡の裏面側で強度を持たせるための合成樹脂製または金属製の裏当て材とからなる。
【００１５】
ここで、ミラーキャビネット３は、そのミラー扉１２〜１４に鏡を有することから、本発明にいう化粧台本体に相当するものである。また、化粧台本体としてのミラーキャビネット３に設けられた上部ランプ１７およびサイドランプ１８は、いずれも照明装置としてミラー扉１２〜１４（つまり鏡）の前に立つ使用者Ｐを照らすためのものである。
【００１６】
主ミラー扉１２の鏡の一部（図１では中央部）にはハーフミラー２１が設けられているとともに、主ミラー扉１２の裏当て材にはハーフミラー２１に対応して開口部（図示せず）が設けられている。また、ミラーキャビネット３の内部であるキャビネット本体１１の収容空間内には小型のＣＣＤカメラ２２が配置されている。ＣＣＤカメラ２２は、主ミラー扉１２の閉時にハーフミラー２１を通して主ミラー扉１２の前方を撮影できるようになっている。よって、ＣＣＤカメラ２２は、化粧台本体としてのミラーキャビネット３に設けられたカメラとして、主ミラー扉１２の鏡の前に立つ使用者Ｐの顔を撮影するものである。
【００１７】
図３は洗面化粧台１の制御系の構成を示す。図３において、２３は操作ボックス７に設けられた照明ボタンであり、照明ボタン２３は、オン・オフ切替スイッチからなる。照明ボタン２３の操作信号は、コントローラ２４に対し出力される。コントローラ２４とＣＣＤカメラ２２とは、信号授受可能に接続されている。
【００１８】
コントローラ２４は、マイクロコンピュータなどからなる。コントローラ２４は、ＣＣＤカメラ２２で撮影した使用者Ｐの顔の表情（例えば口を開けたあくびの表情）や目の状態（例えば瞬き回数または瞬き１回当たりの平均閉眼時間）などの人体情報に基づいて使用者の覚醒度を判定する判定部２５を有している。また、コントローラ２４は、制御部として、判定部で判定した覚醒度に応じて、照明装置１７，１８の照度および色温度の少なくとも一方を変更するようになっている。各照明装置１７，１８は、いずれもＬＥＤなどからなる発光部１７ａ，１８ａと、発光部１７ａ，１８ａの照度および色温度の少なくとも一方を変更可能にする回路部１７ｂ，１８ｂとを有している。なお、発光部１７ａ，１８ａの色温度を変更する場合、例えば発光部１７ａ，１８ａに発光色の異なる複数種類のＬＥＤなどを使用し、色温度に応じて、発光するＬＥＤなどを選定するようにすれば良い。
【００１９】
コントローラ２４による照明装置１７，１８の制御内容は、図４に示すフローチャートに従って行われる。
【００２０】
すなわち、ステップＳ１で照明ボタン２３がオン操作されるのを待った後、ステップＳ２で現時点が予め設定した朝の時間帯（例えば午前８：００〜１２：００）であるか否かを判定する。この時間判定には、コントローラ２４の内蔵時計が用いられる。
【００２１】
そして、時間判定がＹＥＳのときには、ステップＳ３で覚醒モードにより照明装置１７，１８を点灯し、ステップＳ４で覚醒照明サブルーチンを実行する。
【００２２】
覚醒照明サブルーチンにおいては、図５に示すフローチャートに従って、先ず、ステップＳ１１でＣＣＤカメラ２２により主ミラー扉１２の鏡の前に立つ使用者Ｐの顔を撮影して認識する。この撮影画像は、図６に示すようなものであり、使用者Ｐの顔のうち、特に、入手しようとする人体情報の箇所（例えば目の位置）Ｒを認識する。
【００２３】
続いて、ステップＳ１２で顔の動画、特に目の動画を撮影し、ステップＳ１３で人体情報として、例えば瞬き１回当たりの平均閉眼時間を検知する。
【００２４】
次いで、ステップＳ１４で前記平均閉眼時間に基づいて使用者Ｐの覚醒度を判定する。この判定には、図７に示すような平均閉眼時間と覚醒度との関係を示す特性図が用いられる。この特性図では、平均閉眼時間が大きい程覚醒度が低くなっている。
【００２５】
しかる後、ステップＳ１５で前記覚醒度に応じて、照明装置１７，１８の照度および色温度の少なくとも一方を変更する。本実施形態では、覚醒モードにおける照明装置１７，１８の色温度は７０００Ｋに固定され、照明装置１７，１８の照度のみを変更する。その際には、図８に示すような覚醒度と照度との関係を示す特性図が用いられる。この特性図では、覚醒度が高い程照度が低くなっている。なお、図９は平均閉眼時間と照度との関係の好ましい具体例を示す特性図であり、この特性図では、平均閉眼時間が１２０ｍｓｅｃのとき照度は５００Ｌｘであり、平均閉眼時間が大きい程照度は高くなっている。
【００２６】
以上によって、覚醒照明サブルーチンは、１回終了することになり、このサブルーチンは、覚醒モードでの点灯中１分間に１回繰り返される。
【００２７】
また、ステップＳ３の覚醒モードでの点灯が継続されているときには、ステップＳ５で時間経過により朝の時間帯以外になったか否かを判定する。この判定がＹＥＳの朝の時間帯以外のときには、ステップＳ６で通常モードの点灯に変更し、ステップＳ７へ移行する一方、判定がＮＯの朝の時間帯のときには、ステップＳ７へ移行する。なお、通常モードの点灯については、後述する。
【００２８】
ステップＳ７では照明ボタン２３がオフに切り替えられたか否かを判定し、その判定がＮＯのときには、ステップＳ３に戻る一方、判定がＹＥＳのときには、ステップＳ８で照明装置１７，１８を消灯し、制御を終了する。
【００２９】
一方、ステップＳ２の時間判定がＮＯの朝の時間帯以外のときには、ステップＳ９で通常モードにより照明装置１７，１８を点灯する。通常モードでは、照明装置１７，１８の色温度は４０００Ｋであり、照度は３００〜４００Ｌｘである。
【００３０】
続いて、ステップＳ１０で照明ボタン２３がオフに切り替えられたか否かを判定し、その判定がＮＯのときには、ステップＳ９に戻る一方、判定がＹＥＳのときには、ステップＳ８へ移行して照明装置１７，１８を消灯し、制御を終了する。
【００３１】
以上説明したように、化粧台（洗面化粧台）１は、鏡（ミラー扉１２〜１４の鏡）を有する化粧台本体（ミラーキャビネット）３と、鏡の前の使用者Ｐを照らす照明装置１７，１８と、使用者Ｐの顔を撮影するカメラ（ＣＣＤカメラ）２２とを備える。照明装置１７，１８およびカメラ２２は、いずれも化粧台本体３に設けられている。また、化粧台１は、カメラ２２で撮影した使用者Ｐの人体情報に基づいて使用者Ｐの覚醒度を判定する判定部２５と、判定部２５で判定した覚醒度に応じて照明装置１７，１８の照度および色温度の少なくとも一方を変更する制御部（コントローラ）２４とを備える。使用者Ｐの人体情報は、顔の表情や目の状態などである。
【００３２】
このような化粧台１によれば、カメラ２２で撮影した鏡の前の使用者Ｐの人体情報に基づいて使用者Ｐの覚醒度を判定し、それに応じて照明装置１７，１８の照度および色温度の少なくとも一方を変更する。このため、過度の覚醒作用により使用者Ｐに不快感を与えることなく、使用者Ｐの覚醒度を効果的に高めることができる。
【００３３】
特に、本実施形態の場合、制御部２４は、予め設定した朝の時間帯でのみ覚醒度に応じた変更制御（覚醒モードでの点灯）を行うように設けられている（図４のＳ１〜Ｓ６参照）。このため、使用者の誤操作によって朝の時間帯以外に覚醒度に応じた変更制御が実行されるのを防止することができ、作動の信頼性を高めることができる。
【００３４】
また、化粧台本体３は、前面に開閉式のミラー扉１２〜１４を有するミラーキャビネットである。ミラー扉（主ミラー扉）１２の鏡の一部にはハーフミラー２１が設けられているとともに、ミラーキャビネット３の内部にはカメラ２２がミラー扉１２の閉時にハーフミラー２１を通してミラー扉１２の前方を撮影可能に設けられている。
【００３５】
このような構成では、使用者Ｐがミラーキャビネット３側のカメラ２２の存在を意識することは少なく、化粧台１としての機能を損なうこともない。その上、カメラ２２によりミラー扉１２の前方に立つ使用者Ｐの顔を略真正面から撮影することができるので、この撮影に基づいた使用者Ｐの人体情報の取得ひいては使用者Ｐの覚醒度の判定を適切に行うことができ、作動の信頼性をより高めることができる。
【００３６】
さらに、使用者Ｐの覚醒度に応じた変更制御を行うに当たり、照明装置１７，１８の照度のみを変更し、色温度は７０００Ｋに固定した。このため、照明装置１７，１８の色温度を変更する場合の如く照明装置１７，１８の発光部１７ａ，１８ａに発光色の異なる複数種類のＬＥＤなどを使用する必要はなく、その分実施化を図る上で有利である。
【００３７】
なお、本発明は前記第１の実施形態に限定されるものではなく、その他種々の形態を包含するものである。例えば化粧台本体としてのミラーキャビネット３にカメラ２２を設ける場合、前記第１の実施形態の如き構成の代わりに、図１０に示す第２の実施形態の如き構成を用いても良い。
【００３８】
すなわち、第２の実施形態では、ミラーキャビネット３のキャビネット本体１１の上壁部の前端面の幅方向中央位置に、ミラー扉１２〜１４の鏡の前に立つ使用者の顔を撮影するカメラ２２を設ける。また、キャビネット本体１１の上壁部の前端面のカメラ２２を挟んだ左右の位置にそれぞれ照明装置としての上部ランプ３１を設けるように構成する。
【００３９】
また、前記第１の実施形態では、カメラ２２で撮影した使用者Ｐの顔の動画から人体情報としての平均閉眼時間を検知することとは別に、平均閉眼時間を基に覚醒度を判定し、覚醒度に応じて照明装置１７，１８の照度および色温度の少なくとも一方を変更した。しかし、平均閉眼時間は、覚醒度と密接な関係を有することから、本発明は、覚醒度として平均閉眼時間を検知し、平均閉眼時間に応じて照明装置１７，１８の照度および色温度の少なくとも一方を変更するようにしても良い。従って、本発明にいう覚醒度とは、狭義の覚醒度に限らず、平均閉眼時間など覚醒度と密接な関係を有する人体情報を含む広義の覚醒度を意味する。
【００４０】
さらに、本発明は前記第１および第２の実施形態の如き洗面化粧台１に限らず、その他の洗面化粧台および化粧台にも適用することができるのは勿論である。
【符号の説明】
【００４１】
１    洗面化粧台（化粧台）
３    ミラーキャビネット（化粧台本体）
１２    ミラー扉（主ミラー扉）
１３，１４    ミラー扉（サイドミラー扉）
１７，３１    上部ランプ（照明装置）
１８    サイドランプ（照明装置）
２１    ハーフミラー
２２    ＣＣＤカメラ（カメラ）
２４    コントローラ（制御部）
２５    判定部
Ｐ    使用者
【図１】
0006524581.tif 000002
【図２】
0006524581.tif 000003
【図３】
0006524581.tif 000004
【図４】
0006524581.tif 000005
【図５】
0006524581.tif 000006
【図６】
0006524581.tif 000007
【図７】
0006524581.tif 000008
【図８】
0006524581.tif 000009
【図９】
0006524581.tif 000010
【図１０】
0006524581.tif 000011